【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】
【請求項１】  近距離無線通信するための第１近距離無線通信インタフェースを備えた携帯端末と、ネットワークを介して通信するためのネットワークインタフェース、および前記携帯端末と近距離無線通信するための第２近距離無線通信インタフェースを備えた複数のデータ通信装置とを有するデータ通信システムであって、
前記データ通信装置は、
前記携帯端末から、第２近距離無線通信インタフェースを介して第１の接続要求を受信する第１接続要求受信手段と、
前記第１の接続要求を受信した場合、当該データ通信装置における通信状況に応じて、当該データ通信装置の第２近距離無線通信インタフェースを介した前記携帯端末との第１の接続形態を許可するか否かを判断する判断手段と、
前記第１の接続形態が許可されない場合、前記携帯端末と近距離無線通信可能であって前記第１の接続要求を受信した当該データ通信装置と異なる所定の他のデータ通信装置を選択する選択手段と、
前記他のデータ通信装置が選択された場合、前記携帯端末に対して、前記他のデータ通信装置、前記ネットワーク、および当該データ通信装置のネットワークインタフェースを介した前記携帯端末との第２の接続形態に関する接続情報を送信する接続情報送信手段とを有し、
前記携帯端末は、
前記データ通信装置に対して、第１近距離無線通信インタフェースを介して前記第１の接続要求を送信する第１接続要求送信手段と、
前記データ通信装置から、第１近距離無線通信インタフェースを介して前記接続情報を受信した場合、前記他のデータ通信装置に対して、第１近距離無線通信インタフェースを介して前記第２の接続形態を形成するための第２の接続要求を送信する第２接続要求送信手段と
を有することを特徴とするデータ通信システム。
【請求項２】  近距離無線通信するための第１近距離無線通信インタフェースを備えた携帯端末と、ネットワークを介して通信するためのネットワークインタフェース、および前記携帯端末と近距離無線通信するための第２近距離無線通信インタフェースを備えた複数のデータ通信装置とを有するデータ通信システムにおける前記データ通信装置であって、
前記携帯端末から、第２近距離無線通信インタフェースを介して第１の接続要求を受信する第１接続要求受信手段と、
前記第１の接続要求を受信した場合、当該データ通信装置における通信状況に応じて、当該データ通信装置の第２近距離無線通信インタフェースを介した前記携帯端末との第１の接続形態を許可するか否かを判断する判断手段と、
前記第１の接続形態が許可されない場合、前記携帯端末と近距離無線通信可能であって前記第１の接続要求を受信した当該データ通信装置と異なる所定の他のデータ通信装置を選択する選択手段と、
前記他のデータ通信装置が選択された場合、前記携帯端末に対して、前記他のデータ通信装置、前記ネットワーク、および当該データ通信装置のネットワークインタフェースを介した前記携帯端末との第２の接続形態に関する接続情報を送信する接続情報送信手段と
を有することを特徴とするデータ通信装置。
【請求項３】  複数の携帯端末が、同一の前記他のデータ通信装置を介した前記第２の接続形態により前記第１の接続要求を受信した当該データ通信装置と接続中である場合、当該データ通信装置における通信状況に応じて、前記複数の携帯端末の中の少なくとも１つとの前記第１の接続形態を許可するか否かを判断する第２判断手段と、
前記複数の携帯端末の中の少なくとも１つとの前記第１の接続形態が許可された場合、所定の優先切替順位にしたがって、前記携帯端末との接続形態を前記第２の接続形態から前記第１の接続形態に切り替える切替手段と
をさらに有することを特徴とする請求項２に記載のデータ通信装置。
【請求項４】  前記所定の優先切替順位は、前記携帯端末からの前記第１の接続要求を受信した順番に基づくことを特徴とする請求項３に記載のデータ通信装置。
【請求項５】  近距離無線通信するための第１近距離無線通信インタフェースを備えた携帯端末と、ネットワークを介して通信するためのネットワークインタフェース、および前記携帯端末と近距離無線通信するための第２近距離無線通信インタフェースを備えた複数のデータ通信装置とを有するデータ通信システムにおける前記携帯端末であって、
前記データ通信装置に対して、第１近距離無線通信インタフェースを介して第１の接続要求を送信する第１接続要求送信手段と、
前記データ通信装置から、第１近距離無線通信インタフェースを介して、前記第１の接続要求を受信した前記データ通信装置と異なる所定の他のデータ通信装置、前記ネットワーク、および前記第１の接続要求を受信した前記データ通信装置のネットワークインタフェースを介した当該携帯端末との第２の接続形態に関する接続情報を受信した場合、前記他のデータ通信装置に対して、第１近距離無線通信インタフェースを介して前記第２の接続形態を形成するための第２の接続要求を送信する第２接続要求送信手段と
を有することを特徴とする携帯端末。
【請求項６】  近距離無線通信するための第１近距離無線通信インタフェースを備えた携帯端末と、ネットワークを介して通信するためのネットワークインタフェース、および前記携帯端末と近距離無線通信するための第２近距離無線通信インタフェースを備えた複数のデータ通信装置とを有するデータ通信システムであって、
前記データ通信装置は、
前記携帯端末から、第２近距離無線通信インタフェースを介して第１の接続要求を受信する第１接続要求受信手段と、
前記第１の接続要求を受信した場合、当該データ通信装置、および前記携帯端末と近距離無線通信可能であって前記第１の接続要求を受信した当該データ通信装置と異なる他のデータ通信装置の中から、前記携帯端末との間の近距離無線通信に関する特性にしたがって、所定のデータ通信装置を選択する選択手段と、
前記所定のデータ通信装置として前記他のデータ通信装置が選択された場合、前記携帯端末に対して、前記他のデータ通信装置、前記ネットワーク、および当該データ通信装置のネットワークインタフェースを介した前記携帯端末との接続形態に関する接続情報を送信する接続情報送信手段とを有し、
前記携帯端末は、
前記データ通信装置に対して、第１近距離無線通信インタフェースを介して前記第１の接続要求を送信する第１接続要求送信手段と、
前記データ通信装置から、第１近距離無線通信インタフェースを介して前記接続情報を受信した場合、前記他のデータ通信装置に対して、第１近距離無線通信インタフェースを介して前記接続形態を形成するための第２の接続要求を送信する第２接続要求送信手段と
を有することを特徴とするデータ通信システム。
【請求項７】  近距離無線通信するための第１近距離無線通信インタフェースを備えた携帯端末と、ネットワークを介して通信するためのネットワークインタフェース、および前記携帯端末と近距離無線通信するための第２近距離無線通信インタフェースを備えた複数のデータ通信装置とを有するデータ通信システムを用いて、データの通信を行うためのデータ通信方法であって、
前記携帯端末が、前記データ通信装置に対して、第１近距離無線通信インタフェースを介して第１の接続要求を送信する段階と、
前記データ通信装置が、前記携帯端末から、第２近距離無線通信インタフェースを介して前記第１の接続要求を受信する段階と、
前記データ通信装置が、前記第１の接続要求を受信した場合、当該データ通信装置における通信状況に応じて、当該データ通信装置の第２近距離無線通信インタフェースを介した前記携帯端末との第１の接続形態を許可するか否かを判断する段階と、
前記第１の接続形態が許可されない場合、前記データ通信装置が、前記第１の接続要求を受信した当該データ通信装置と異なる所定の他のデータ通信装置を選択する段階と、
前記他のデータ通信装置が選択された場合、前記データ通信装置が、前記携帯端末に対して、前記他のデータ通信装置、前記ネットワーク、および当該データ通信装置のネットワークインタフェースを介した前記携帯端末との第２の接続形態に関する接続情報を送信する段階と、
前記携帯端末が、前記データ通信装置から、第１近距離無線通信インタフェースを介して前記接続情報を受信した場合、前記携帯端末が、前記他のデータ通信装置に対して、第１近距離無線通信インタフェースを介して前記第２の接続形態を形成するための第２の接続要求を送信する段階と
を有することを特徴とするデータ通信方法。
【請求項８】  近距離無線通信するための第１近距離無線通信インタフェースを備えた携帯端末と、ネットワークを介して通信するためのネットワークインタフェース、および前記携帯端末と近距離無線通信するための第２近距離無線通信インタフェースを備えた複数のデータ通信装置とを有するデータ通信システムにおける前記データ通信装置を制御するデータ通信プログラムであって、
前記携帯端末から、第２近距離無線通信インタフェースを介して第１の接続要求を受信する手順と、
前記第１の接続要求を受信した場合、当該データ通信装置における通信状況に応じて、当該データ通信装置の第２近距離無線通信インタフェースを介した前記携帯端末との第１の接続形態を許可するか否かを判断する手順と、
前記第１の接続形態が許可されない場合、前記第１の接続要求を受信した当該データ通信装置と異なる所定の他のデータ通信装置を選択する手順と、
前記他のデータ通信装置が選択された場合、前記携帯端末に対して、前記他のデータ通信装置、前記ネットワーク、および当該データ通信装置のネットワークインタフェースを介した前記携帯端末との第２の接続形態に関する接続情報を送信する手順と
を前記データ通信装置に実行させるためのデータ通信プログラム。
【請求項９】  近距離無線通信するための第１近距離無線通信インタフェースを備えた携帯端末と、ネットワークを介して通信するためのネットワークインタフェース、および前記携帯端末と近距離無線通信するための第２近距離無線通信インタフェースを備えた複数のデータ通信装置とを有するデータ通信システムにおける前記携帯端末を制御するデータ通信プログラムであって、
前記データ通信装置に対して、第１近距離無線通信インタフェースを介して第１の接続要求を送信する手順と、
前記データ通信装置から、第１近距離無線通信インタフェースを介して、前記第１の接続要求を受信した前記データ通信装置と異なる所定の他のデータ通信装置、前記ネットワーク、および前記第１の接続要求を受信した前記データ通信装置のネットワークインタフェースを介した当該携帯端末との第２の接続形態に関する接続情報を受信した場合、前記他のデータ通信装置に対して、第１近距離無線通信インタフェースを介して前記第２の接続形態を形成するための第２の接続要求を送信する手順と
を前記携帯端末に実行させるためのデータ通信プログラム。
【請求項１０】  請求項８または９に記載のデータ通信プログラムを記録したコンピュータ読取可能な記録媒体。
【請求項１１】  前記選択手段は、前記携帯端末との間の近距離無線通信に関する特性にしたがって、前記所定の他のデータ通信装置を選択することを特徴とする請求項２に記載にデータ通信装置。
【請求項１２】  前記近距離無線通信に関する特性は、近距離無線通信のための接続数、前記携帯端末との間における応答時間、および前記携帯端末との間におけるデータ転送速度の少なくとも１つを含む特性であることを特徴とする請求項１１に記載のデータ通信装置。
【請求項１３】  近距離無線通信するための第１近距離無線通信インタフェースを備えた携帯端末と、ネットワークを介して通信するためのネットワークインタフェース、および前記携帯端末と近距離無線通信するための第２近距離無線通信インタフェースを備えた複数のデータ通信装置とを有するデータ通信システムにおける前記データ通信装置であって、
前記携帯端末から、第２近距離無線通信インタフェースを介して第１の接続要求を受信する第１接続要求受信手段と、
前記第１の接続要求を受信した場合、当該データ通信装置、および前記携帯端末と近距離無線通信可能であって前記第１の接続要求を受信した当該データ通信装置と異なる他のデータ通信装置の中から、前記携帯端末との間の近距離無線通信に関する特性にしたがって、所定のデータ通信装置を選択する選択手段と、
前記所定のデータ通信装置として前記他のデータ通信装置が選択された場合、前記携帯端末に対して、前記他のデータ通信装置、前記ネットワーク、および前記第１の接続要求を受信した当該データ通信装置のネットワークインタフェースを介した前記携帯端末との接続形態に関する接続情報を送信する接続情報送信手段と
を有することを特徴とするデータ通信装置。
【請求項１４】  前記選択手段は、当該データ通信装置と前記携帯端末との接続中に前記近距離無線通信に関する特性が所定基準を満たさなくなった場合、さらに前記所定のデータ通信装置を選択することを特徴とする請求項１３に記載のデータ通信装置。
【請求項１５】  前記近距離無線通信に関する特性は、近距離無線通信のための接続数、前記携帯端末との間における応答時間、および前記携帯端末との間におけるデータ転送速度の少なくとも１つを含む特性であることを特徴とする請求項１３または１４に記載のデータ通信装置。
【請求項１６】  近距離無線通信するための第１近距離無線通信インタフェースを備えた携帯端末と、ネットワークを介して通信するためのネットワークインタフェース、および前記携帯端末と近距離無線通信するための第２近距離無線通信インタフェースを備えた複数のデータ通信装置とを有するデータ通信システムにおける前記携帯端末であって、
前記データ通信装置に対して、第１近距離無線通信インタフェースを介して第１の接続要求を送信する第１接続要求送信手段と、
前記データ通信装置から、第１近距離無線通信インタフェースを介して、当該携帯端末と近距離無線通信可能であって前記携帯端末との間の近距離無線通信性能に関する特性にしたがって選択され前記第１の接続要求を受信した前記データ通信装置と異なる他のデータ通信装置、前記ネットワーク、および前記第１の接続要求を受信した前記データ通信装置のネットワークインタフェースを介した当該携帯端末との接続形態に関する接続情報を受信した場合、前記他のデータ通信装置に対して、第１近距離無線通信インタフェースを介して前記接続形態を形成するための第２の接続要求を送信する第２接続要求送信手段と
を有することを特徴とする携帯端末。